(57)【要約】【課題】電子辞書の辞書データを用いることにより、ユーザが所望するテレビ番組を検索可能な電子機器を得る。【解決手段】電子辞書の機能を有し、入力部１１を介して見出し語の入力を受け付ける受付部１２と、見出し語と当該見出し語に関連する関連語句とが対応付けて記憶された記憶部１５から、入力された見出し語に対応付けられた関連語句を読出す読出部２３と、少なくとも入力された見出し語および読出された関連語句をキーワードとして記憶部１５に記憶されたテレビの電子番組表からを検索する検索部２４と、検索した結果を表示部１３に表示させる表示制御部２５とを備える。【選択図】図３
2010050801.tif 000002
【特許請求の範囲】
【請求項１】
電子辞書の機能を有する電子機器であって、
入力装置を介して見出し語の入力を受け付ける受付手段と、
見出し語と当該見出し語に関連する関連語句とが対応付けて記憶された記憶装置から、前記入力された見出し語に対応付けられた関連語句を読出す読出手段と、
少なくとも前記入力された見出し語および前記読出された関連語句をキーワードとして、前記記憶装置に記憶されたテレビの電子番組表からテレビ番組を検索する検索手段と、
前記検索した結果を表示装置に表示させる表示制御手段とを備える、電子機器。
【請求項２】
受信装置を介して受信したテレビ番組を、前記記憶装置に録画する録画手段と、
前記入力装置を介した第１の指示を受け付けた場合、前記検索したテレビ番組を前記録画手段に録画させるための録画予約を行う録画予約手段とを、さらに備える請求項１に記載の電子機器。
【請求項３】
前記見出し語を第１階層の語句と、当該見出し語に対応付けて記憶された関連語句を第２階層の語句と、ｎを３以上の自然数として、前記記憶装置において第ｎ−１階層の語句に対応付けて記憶された関連語句を第ｎ階層の語句とすると、
前記読出手段は、さらに、第３階層から予め指定された階層までの複数の階層の語句を、前記記憶装置から読出し、
前記検索手段は、前記入力された見出し語および前記複数の階層の語句を前記キーワードとして前記検索を行う、請求項２に記載の電子機器。
【請求項４】
指定された複数回以上、同一の語句が前記読出手段によって前記記憶装置から読出されたかを判断する判断手段を、さらに備え、
前記検索手段は、前記入力された見出し語と、前記複数の階層の語句のうち前記複数回以上読出された語句とを前記キーワードとして前記検索を行う、請求項３に記載の電子機器。
【請求項５】
電子辞書の機能を有する電子機器であって、
入力装置を介して見出し語の入力を受け付ける受付手段と、
見出し語と当該見出し語の本文とが対応付けて記憶された記憶装置から、前記入力された見出し語についての本文を読出す読出手段と、
前記読出手段が読出した前記本文から名詞を抽出する抽出手段と、
少なくとも前記入力された見出し語および前記抽出した名詞をキーワードとして、前記記憶装置に記憶されたテレビの電子番組表からテレビ番組を検索する検索手段と、
前記検索した結果を表示装置に表示させる表示制御手段とを備える、電子機器。
【請求項６】
受信装置を介して受信したテレビ番組を、前記記憶装置に録画する録画手段と、
前記入力装置を介した第１の指示を受け付けた場合、前記検索したテレビ番組を前記録画手段に録画させるための録画予約を行う録画予約手段とを、さらに備える、請求項５に記載の電子機器。
【請求項７】
前記見出し語の本文から抽出された名詞を第１抽出名詞と、ｎを２以上の自然数とし、第ｎ−１抽出名詞を見出し語とした場合における本文から抽出した名詞を第ｎ抽出名詞とすると、
前記読出手段は、さらに、前記記憶装置から前記第ｎ−１抽出名詞を見出し語とした場合における本文を前記第ｎ−１抽出名詞毎に読出し、
前記抽出手段は、さらに、前記各第ｎ−１抽出名詞を見出し語とした場合における各本文から前記第ｎ抽出名詞を抽出し、
前記検索手段は、第２抽出名詞から第ｎ抽出名詞までの各名詞についても前記キーワードに含めて前記検索を行う、請求項６に記載の電子機器。
【請求項８】
前記読出手段は、さらに、前記記憶装置において前記第１抽出名詞から第ｎ−１抽出名詞までの各抽出名詞にそれぞれ対応付けて記憶された関連語句を前記記憶装置から読出し、
前記抽出手段は、さらに、前記各関連語句から名詞を抽出し、
前記検索手段は、前記各関連語句から抽出された名詞についても前記キーワードに含めて前記検索を行う、請求項７に記載の電子機器。
【請求項９】
指定された複数回以上、同一の名詞が前記抽出手段によって抽出されたかを判断する判断手段を、さらに備え、
前記検索手段は、前記入力された見出し語と前記抽出された名詞のうち前記複数回以上抽出された名詞とを前記キーワードとして前記検索を行う、請求項７または８に記載の電子機器。
【請求項１０】
前記録画予約が行われた場合、前記録画予約が行われたテレビ番組に関する前記電子番組表を、少なくとも前記入力された見出し語に関連付ける第１関連付手段を、さらに備え、
前記表示制御手段は、前記録画予約が行われた状態で前記入力された見出し語の本文を表示装置に表示させる指示を受け付けた場合、少なくとも当該見出し語に関連付けられた電子番組表と当該見出し語の本文とを表示装置に表示させる、請求項２から４、および６から９のいずれか１項に記載の電子機器。
【請求項１１】
前記録画予約が行われた場合、前記第１関連付手段は、前記録画予約が行われたテレビ番組に関する前記電子番組表を前記キーワードに関連付け、
前記表示制御手段は、前記録画予約が行われた状態で前記キーワードを見出し語とした場合における本文を表示装置に表示させる指示を受け付けた場合、少なくとも当該キーワードに関連付けられた電子番組表と当該キーワードを見出し語とした場合における本文とを表示装置に表示させる、請求項１０に記載の電子機器。
【請求項１２】
前記録画が終了した場合、前記録画したテレビ番組の画像データを少なくとも前記入力された見出し語に関連付ける第２関連付手段を、さらに備え、
前記表示制御手段は、前記入力された見出し語の本文を表示装置に表示させる指示を受け付けた場合、少なくとも当該見出し語に関連付けられた前記画像データに関するサムネイルと当該見出し語の本文とを表示装置に表示させる、請求項２から４、および６から９のいずれか１項に記載の電子機器。
【請求項１３】
前記録画が終了した場合、前記第２関連付手段は、前記画像データを前記キーワードに関連付け、
前記表示制御手段は、前記キーワードを見出し語とした場合における本文を表示装置に表示させる指示を受け付けた場合、少なくとも当該キーワードに関連付けられた前記画像データに関するサムネイルと当該キーワードを見出し語とした場合における本文とを表示装置に表示させる、請求項１２に記載の電子機器。
【請求項１４】
前記録画データの再生中に、前記表示制御手段が前記入力装置を介した第２の指示を受け付けた場合、前記表示制御手段は、前記キーワードのうちのいずれか１つのキーワードと、当該１つのキーワードを見出し語とした場合における本文とを前記表示装置に表示させる、請求項１０から１３のいずれか１項に記載の電子機器。
【請求項１５】
前記キーワードに基づいてリストデータを生成するとともに、当該生成したリストデータを前記記憶装置に記憶させる生成手段を、さらに備え、
前記表示制御手段が前記入力装置を介した第３の指示を受け付けた場合、前記表示制御手段は、前記記憶装置に記憶された前記リストデータに基づいて前記キーワードのリストを前記表示装置に表示させる、請求項１０から１４のいずれか１項に記載の電子機器。
【請求項１６】
前記生成手段は、前記録画予約がなされたテレビ番組の録画状況を示した状況情報を、当該録画予約がなされたテレビ番組の検索に用いられた前記キーワードに関連付けて、前記キーワード毎に前記記憶装置に記憶させ、
前記表示制御手段は、前記リストを表示する際には、前記リストに含まれたキーワード毎に、前記状況情報に基づいた録画状況に関する表示を行う、請求項１５に記載の電子機器。
【請求項１７】
電子辞書の機能を有する電子機器であって、
入力装置を介した見出し語の入力を受け付ける受付手段と、
前記見出し語についての本文を表示装置に表示させた場合に表示される内容に含まれる名詞をキーワードとして、記憶装置に記憶された電子番組表からテレビ番組を検索する検索手段と、
前記検索した結果を表示装置に表示させる表示制御手段とを備える、電子機器。
【請求項１８】
電子辞書の機能を有する電子機器における表示制御方法であって、
入力装置を介して見出し語の入力を受け付けるステップと、
見出し語と当該見出し語に関連する関連語句とが対応付けて記憶された記憶装置から、前記入力された見出し語に対応付けられた関連語句を読出すステップと、
少なくとも前記入力された見出し語および前記読出された関連語句をキーワードとして、前記記憶装置に記憶されたテレビの電子番組表からテレビ番組を検索するステップと、
前記検索した結果を表示装置に表示させるステップとを含む、表示制御方法。
【請求項１９】
電子辞書の機能を有する電子機器における表示制御方法であって、
入力装置を介して見出し語の入力を受け付けるステップと、
見出し語と当該見出し語の本文とが対応付けて記憶された記憶装置から、前記入力された見出し語についての本文を読出すステップと、
前記読出された前記本文から名詞を抽出するステップと、
少なくとも前記入力された見出し語および前記抽出した名詞をキーワードとして、前記記憶装置に記憶されたテレビの電子番組表からテレビ番組を検索するステップと、
前記検索した結果を表示装置に表示させるステップとを含む、表示制御方法。
【請求項２０】
請求項１８または１９に記載の表示制御方法をコンピュータに実行させるためのプログラム。
【発明の詳細な説明】
【技術分野】
【０００１】
本発明は、電子機器、表示制御方法、およびプログラムに関し、特に、電子辞書機能を備えた電子機器、当該電子機器における表示制御方法、および当該表示制御方法を実行するためのプログラムに関する。
【背景技術】
【０００２】
従来、テレビ放送が視聴可能であるとともに電子辞書の機能を備えた電子機器が知られている。
【０００３】
特許文献１には、テレビ画面においてユーザが指示した位置が電子番組表であるならば、当該電子番組表からテレビ番組検索用のキーワードを抽出する構成が開示されている。また、特許文献１には、ユーザが指示した位置が電子番組表の外部であるならば、当該指示されたテレビ画面上の画像から文字列を認識し、当該認識した文字列からテレビ番組検索用のキーワードを抽出する構成が開示されている。
【０００４】
特許文献２には、テレビ番組検索のために用いられたキーワード別に、録画が終了した番組を整理して表示する手段と、当該表示された情報から所望の録画映像を再生する手段とを備えた録画再生装置が開示されている。
【特許文献１】特開２００３−９０３０号公報
【特許文献２】特開平１０−１６４４７１号公報
【発明の開示】
【発明が解決しようとする課題】
【０００５】
電子辞書の辞書データとして、見出し語に対して当該見出し語と関連性の高い見出し語が関連付けられているデータ構造を備えるものがある。また、見出し語の本文は、見出し語の意味内容を説明した文であるため、見出し語に関連する語句が含まれている。
【０００６】
しかしながら、上記特許文献１および２では、テレビ番組の検索に用いるキーワードの抽出に当たり、電子辞書の辞書データを用いる構成ではない。
【０００７】
本発明は、上記問題点に鑑みなされたものであって、その目的は、電子辞書の辞書データを用いることにより、ユーザが所望するテレビ番組を検索可能な電子機器、表示制御方法、およびプログラムを提供することにある。
【課題を解決するための手段】
【０００８】
本発明のある局面に従うと、電子機器は、電子辞書の機能を有する電子機器であって、入力装置を介して見出し語の入力を受け付ける受付手段と、見出し語と当該見出し語に関連する関連語句とが対応付けて記憶された記憶装置から、入力された見出し語に対応付けられた関連語句を読出す読出手段と、少なくとも入力された見出し語および読出された関連語句をキーワードとして記憶装置に記憶されたテレビの電子番組表からを検索する検索手段と、検索した結果を表示装置に表示させる表示制御手段とを備える。
【０００９】
また、受信装置を介して受信したテレビ番組を記憶装置に録画する録画手段と、入力装置を介した第１の指示を受け付けた場合、検索したテレビ番組を録画手段に録画させるための録画予約を行う録画予約手段とを、さらに備えることが好ましい。
【００１０】
また、見出し語を第１階層の語句と、当該見出し語に対応付けて記憶された関連語句を第２階層の語句と、ｎを３以上の自然数として、記憶装置において第ｎ−１階層の語句に対応付けて記憶された関連語句を第ｎ階層の語句とすると、読出手段は、さらに、第３階層から予め指定された階層までの複数の階層の語句を記憶装置から読出し、検索手段は、入力された見出し語および複数の階層の語句をキーワードとして検索を行うことが好ましい。
【００１１】
また、指定された複数回以上、同一の語句が前記読出手段によって記憶装置から読出されたかを判断する判断手段を、さらに備え、検索手段は、入力された見出し語と、複数の階層の語句のうち複数回以上読出された語句とをキーワードとして検索を行うことが好ましい。
【００１２】
本発明の他の局面に従うと、電子機器は、電子辞書の機能を有する電子機器であって、入力装置を介して見出し語の入力を受け付ける受付手段と、見出し語と当該見出し語の本文とが対応付けて記憶された記憶装置から、入力された見出し語についての本文を読出す読出手段と、読出手段が読出した本文から名詞を抽出する抽出手段と、少なくとも入力された見出し語および抽出した名詞をキーワードとして記憶装置に記憶されたテレビの電子番組表からを検索する検索手段と、検索した結果を表示装置に表示させる表示制御手段とを備える。
【００１３】
また、受信装置を介して受信したテレビ番組を記憶装置に録画する録画手段と、入力装置を介した第１の指示を受け付けた場合、検索したテレビ番組を録画手段に録画させるための録画予約を行う録画予約手段とを、さらに備えることが好ましい。
【００１４】
また、見出し語の本文から抽出された名詞を第１抽出名詞と、ｎを２以上の自然数とし、第ｎ−１抽出名詞を見出し語とした場合における本文から抽出した名詞を第ｎ抽出名詞とすると、読出手段は、さらに、記憶装置から第ｎ−１抽出名詞を見出し語とした場合における本文を第ｎ−１抽出名詞毎に読出し、抽出手段は、さらに、各第ｎ−１抽出名詞を見出し語とした場合における各本文から第ｎ抽出名詞を抽出し、検索手段は、第２抽出名詞から第ｎ抽出名詞までの各名詞についてもキーワードに含めて検索を行うことが好ましい。
【００１５】
また、読出手段は、さらに、記憶装置において第１抽出名詞から第ｎ−１抽出名詞までの各抽出名詞にそれぞれ対応付けて記憶された関連語句を記憶装置から読出し、抽出手段は、さらに、各関連語句から名詞を抽出し、検索手段は、各関連語句から抽出された名詞についてもキーワードに含めて検索を行うことが好ましい。
【００１６】
また、同一の名詞が指定された複数回以上抽出手段によって抽出されたかを判断する判断手段を、さらに備え、検索手段は、入力された見出し語と抽出された名詞のうち複数回以上抽出された名詞とをキーワードとして検索を行うことが好ましい。
【００１７】
また、録画予約が行われた場合、録画予約が行われたテレビ番組に関する電子番組表を、少なくとも入力された見出し語に関連付ける第１関連付手段を、さらに備え、表示制御手段は、録画予約が行われた状態で入力された見出し語の本文を表示装置に表示させる指示を受け付けた場合、少なくとも当該見出し語に関連付けられた電子番組表と当該見出し語の本文とを表示装置に表示させることが好ましい。
【００１８】
また、録画予約が行われた場合、第１関連付手段は、録画予約が行われたテレビ番組に関する電子番組表をキーワードに関連付け、表示制御手段は、録画予約が行われた状態でキーワードを見出し語とした場合における本文を表示装置に表示させる指示を受け付けた場合、少なくとも当該キーワードに関連付けられた電子番組表と、と当該キーワードを見出し語とした場合における本文とを表示装置に表示させることが好ましい。
【００１９】
また、録画が終了した場合、録画したテレビ番組の画像データを少なくとも前記入力された見出し語に関連付ける第２関連付手段を、さらに備え、表示制御手段は、入力された見出し語の本文を表示装置に表示させる指示を受け付けた場合、少なくとも当該見出し語に関連付けられた前記画像データに関するサムネイルと当該見出し語の本文とを表示装置に表示させることが好ましい。
【００２０】
また、録画が終了した場合、第２関連付手段は、画像データをキーワードに関連付け、表示制御手段は、キーワードを見出し語とした場合における本文を表示装置に表示させる指示を受け付けた場合、少なくとも当該キーワードに関連付けられた画像データに関するサムネイルと、当該キーワードを見出し語とした場合における本文とを表示装置に表示させることが好ましい。
【００２１】
また、画像データの再生中に、表示制御手段が入力装置を介した第２の指示を受け付けた場合、表示制御手段は、キーワードのうちのいずれか１つのキーワードと、当該１つのキーワードを見出し語とした場合における本文とを表示装置に表示させることが好ましい。
【００２２】
また、キーワードに基づいてリストデータを生成するとともに、当該生成したリストデータを記憶装置に記憶させる生成手段を、さらに備え、表示制御手段が入力装置を介した第３の指示を受け付けた場合、表示制御手段は、記憶装置に記憶されたリストデータに基づいてキーワードのリストを表示装置に表示させることが好ましい。
【００２３】
また、生成手段は、録画予約がなされたテレビ番組の録画状況を示した状況情報を、当該録画予約がなされたテレビ番組の検索に用いられたキーワードに関連付けて、キーワード毎に記憶装置に記憶させ、表示制御手段は、リストを表示する際には、リストに含まれたキーワード毎に、状況情報に基づいた録画状況に関する表示を行うことが好ましい。
【００２４】
本発明のさらに他の局面に従うと、電子機器は、電子辞書の機能を有する電子機器であって、入力装置を介した見出し語の入力を受け付ける受付手段と、見出し語についての本文を表示装置に表示させた場合に表示される内容に含まれる名詞をキーワードとして、記憶装置に記憶された電子番組表からテレビ番組を検索する検索手段と、検索した結果を表示装置に表示させる表示制御手段とを備える。
【００２５】
本発明のさらに他の局面に従うと、表示制御方法は、電子辞書の機能を有する電子機器における表示制御方法であって、入力装置を介して見出し語の入力を受け付けるステップと、見出し語と当該見出し語に関連する関連語句とが対応付けて記憶された記憶装置から、入力された見出し語に対応付けられた関連語句を読出すステップと、少なくとも入力された見出し語および読出された関連語句をキーワードとして、記憶装置に記憶されたテレビの電子番組表からを検索するステップと、検索した結果を表示装置に表示させるステップとを含む。
【００２６】
本発明のさらに他の局面に従うと、表示制御方法は、電子辞書の機能を有する電子機器における表示制御方法であって、入力装置を介して見出し語の入力を受け付けるステップと、見出し語と当該見出し語の本文とが対応付けて記憶された記憶装置から、入力された見出し語についての本文を読出すステップと、読出された本文から名詞を抽出するステップと、少なくとも入力された見出し語および抽出した名詞をキーワードとして、記憶装置に記憶されたテレビの電子番組表からを検索するステップと、検索した結果を表示装置に表示させるステップとを含む。
【００２７】
本発明のさらに他の局面に従うと、プログラムは、上記表示制御方法をコンピュータに実行させるためのプログラムである。
【発明の効果】
【００２８】
本発明では、電子辞書の辞書データを用いることによりユーザが所望するテレビ番組を検索可能となるといった効果を奏する。
【発明を実施するための最良の形態】
【００２９】
〔実施の形態１〕
本発明の一実施の形態について、図１から図１７に基づいて説明すると、以下のとおりである。
【００３０】
＜機器の外観について＞
図１は、電子機器１の外観を示した斜視図である。同図に示すとおり、第１の筐体２１０と、第２の筐体２２０と、スタイラスペン２３０とを備える。第１の筐体２１０には、ディスプレイ１０７が配置されている。第２の筐体２２０には、操作キー１０２と、タッチパネル１０３と、スピーカ１０８とが配置されている。第１の筐体２１０および第２の筐体２２０は、開閉可能に接続されている。
【００３１】
＜ハードウェア構成について＞
次に、電子機器１の具体的構成の一態様について説明する。図２は、電子機器１として機能するコンピュータシステム１００のハードウェア構成を表わすブロック図である。
【００３２】
コンピュータシステム１００は、主たる構成要素として、プログラムを実行するＣＰＵ１０１と、コンピュータシステム１００の使用者による指示の入力を受ける操作キー１０２およびタッチパネル１０３と、ＣＰＵ１０１によるプログラムの実行により生成されたデータ、又は操作キー１０２若しくはタッチパネル１０３を介して入力されたデータを揮発的に格納するＲＡＭ１０４と、データを不揮発的に格納するＲＯＭ１０５と、メモリカードリーダライタ１０６と、ディスプレイ１０７と、スピーカ１０８と、通信ＩＦ１０９と、テレビチューナ１１０と、アンテナ１１１とを含む。各構成要素は、相互にデータバスによって接続されている。メモリカードリーダライタ１０６には、メモリカード１６０が装着される。
【００３３】
コンピュータシステム１００における処理は、各ハードウェアおよびＣＰＵ１０１により実行されるソフトウェアによって実現される。このようなソフトウェアは、ＲＯＭ１０５に予め記憶されている場合がある。また、ソフトウェアは、メモリカード１６０その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、メモリカードリーダライタ１０６その他の読取装置によりその記憶媒体から読み取られて、あるいは、通信ＩＦ１０９を介してダウンロードされた後、ＲＯＭ１０５に一旦格納される。そのソフトウェアは、ＣＰＵ１０１によってＲＯＭ１０５から読出され、ＲＡＭ１０４に実行可能なプログラムの形式で格納される。ＣＰＵ１０１は、そのプログラムを実行する。
【００３４】
同図に示されるコンピュータシステム１００を構成する各構成要素は、一般的なものである。したがって、本発明の本質的な部分は、ＲＡＭ１０４、ＲＯＭ１０５、メモリカード１６０その他の記憶媒体に格納されたソフトウェア、あるいはネットワークを介してダウンロード可能なソフトウェアであるともいえる。なお、コンピュータシステム１００の各ハードウェアの動作は周知であるので、詳細な説明は繰り返さない。
【００３５】
なお、記録媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ
（Electronically Programmable Read-Only Memory）、ＥＥＰＲＯＭ（Electronically Erasable Programmable Read-Only Memory）、フラッシュＲＯＭなどの半導体メモリ等の
固定的にプログラムを担持する媒体でもよい。
【００３６】
ここでいうプログラムとは、ＣＰＵにより直接実行可能なプログラムだけでなく、ソースプログラム形式のプログラム、圧縮処理されたプログラム、暗号化されたプログラム等を含む。
【００３７】
ところで、上記構成は、あくまでも具体的構成の一態様にすぎず、電子機器１をタッチパネル１０３の代わりにマウスを備える構成としてもよい。さらに、電子機器１を、例えば、ＣＤ−ＲＯＭ駆動装置を備える構成とし、メモリカードの機能をＣＤ−ＲＯＭに担わせてもよい。また、電子機器１をハードディクスを備える構成としてもよい。以下では、電子機器１を、図１に示したように携帯型の電子辞書として説明する。なお、電子機器１は、このような電子辞書に限定されるものではなく、一般のパーソナルコンピュータなどであってもよい。
【００３８】
＜機能構成について＞
図３は、電子機器１の概略構成を示した機能ブロック図である。
【００３９】
電子機器１は、同図に示すとおり、入力部１１と、受信部１２と、表示部１３と、メモリ１４と、記憶部１５と、制御部１６とを備えている。
【００４０】
入力部１１は、ユーザからの入力を受け付けるための入力デバイスである。例えば、入力部１１を介してユーザが語句等の入力を行うことにより、メモリ１４に当該入力された語句等が一時的に記憶される。また、入力部１１は、複数のキーにより構成される。なお、入力部１１は、操作キー１０２に対応する。
【００４１】
受信部１２は、制御部１６からの指示により、テレビ放送を受信する。また、受信部１２は、送信されてくる電子番組表（ＥＰＧ（Electronic Program Guide））を受信する。受信部１２が受信したテレビ放送は、録画や表示の対象となる。また、電子番組表は、表示部１３における表示の対象となる。なお、受信部１２は、テレビチューナ１１０およびアンテナ１１１のセットに該当する。
【００４２】
表示部１３は、制御部１６からの指示に基づき、入力部１１を介して入力されたデータ、および制御部１６における各種の処理の結果を表示するためのデバイスである。表示部１３は、上記ディスプレイ１０７に対応する。
【００４３】
メモリ１４は、入力部１１を介して入力されたデータ、制御部１６により処理されるデータ、および制御部１６により処理されている途中のデータ等を、一時的に記憶する。例えば、メモリ１４は、制御部１６が記憶部１５に記憶された辞書データベースから読出した辞書データを一時記憶する。また、メモリ１４は、後述するキーワードの生成に必要なデータを一時記憶する。メモリ１４は、ＣＰＵ１０１が直接アクセスできる主記憶装置に該当する。
【００４４】
記憶部１５は、各種のデータを記憶するための記憶装置である。また、記憶部１５は、電子番組表記憶領域１５ａと、画像データ記憶領域１５ｂと、辞書データ記憶領域１５ｃと、を含む。また、記憶部１５は、電子機器１を動作させるための各種プログラムを記憶している。
【００４５】
電子番組表記憶領域１５ａは、受信部１２を介して受信した電子番組表（ＥＰＧ）のデータを記憶する領域である。
【００４６】
画像データ記憶領域１５ｂは、受信部１２を介して受信した画像データを記憶する領域である。
【００４７】
辞書データ記憶領域１５ｃは、各種の辞書データを記憶する領域である。辞書データ記憶領域１５ｃには、上記各種の辞書データが予め記憶されている。辞書データ記憶領域１５ｃには、例えば、国語辞典、漢和辞典、英和辞典、和英辞典、百科事典等の辞書データが記憶されている。
【００４８】
制御部１６は、電子機器１の各種の動作を制御する。また、制御部１６は、録画部２１と、受付部２２と、読出部２３と、検索部２４と、表示制御部２５と、録画予約部２６と、生成部２７と、第１関連付部２８と、第２関連付部２９とを備える。また、検索部２４は、判断部２４１を備える。なお、制御部１６および制御部１６内の各機能ブロックによる処理は、上述したように、ＣＰＵにより実行されるソフトウェアによって実現される。
【００４９】
ここで、制御部１６の各機能ブロックについて、説明する。
録画部２１は、受信部１２が受信した電子番組表を、記憶部１５の電子番組表記憶領域１５ａに記憶させる。また、録画部２１は、受信部１２が受信したテレビ放送を画像データ記憶領域１５ｂに記憶させる。さらに、録画部２１は、録画予約部２６からの指示に応じて、録画を実行する。また、録画部２１は、テレビ放送の録画が終了した場合、録画されたテレビ放送を画像データ記憶領域１５ｂ内で特定するための情報を第２関連付部２９に送る。
【００５０】
受付部２２は、入力部１１を介して入力されたデータを受け付ける。例えば、入力部１１を介して見出し語の入力を受け付ける。また、受付部２２は、受け付けた見出し語を、読出部２３に送る。
【００５１】
読出部２３は、受付部２２から上記入力された見出し語を受け付ける。そして、読出部２３は、見出し語と当該見出し語に関連する関連語句とが対応付けて記憶された辞書データ記憶領域１５ｃから、上記入力された見出し語に対応付けられた関連語句を読出す。この関連語句は、辞書データ記憶領域１５ｃにおいて見出し語として記憶されている語句でもある。つまり、関連語句は、見出し語として規定されている語句である。
【００５２】
ここで、見出し語を第１階層の語句と、上記読出された語句を第２階層の語句とする。さらに、ｎを３以上の自然数として、辞書データ記憶領域１５ｃにおいて第ｎ−１階層の語句に対応付けて記憶された関連語句を第ｎ階層の語句とする。このように定義すると、読出部２３は、さらに、第３階層から予め指定された階層（たとえば第ｋ階層）までの複数の階層の語句を、辞書データ記憶領域１５ｃから読出す。
【００５３】
そして、読出部２３は、上記見出し語と、上記読出した複数の階層の語句（たとえば第２階層から第ｋ階層までの語句）を検索部２４に送る。なお、読出部２３による上記語句の読出しの具体例については、後述する。
【００５４】
検索部２４は、読出部２３から、上記見出し語と上記読出した複数の階層の語句とを受け付ける。そして、検索部２４は、上記見出し語および上記読出した複数の階層の語句をキーワードとして、記憶部１５の電子番組表記憶領域１５ａに記憶された電子番組表から、当該キーワードを１つ以上含むテレビ番組を検索する。そして、検索部２４は、検索結果を表示制御部２５と録画予約部２６とに送る。また、検索部２４は、上記検索に用いたキーワードを生成部２７に送る。
【００５５】
ただし、本実施の形態では、検索結果の精度を高める観点から、検索部２４は、キーワードの設定に際して判断部２４１による判断結果を用いて検索する。以下、当該判断結果を用いた構成について説明する。
【００５６】
判断部２４１は、同一の語句が、指定された複数回以上、読出部２３によって辞書データ記憶領域１５ｃから読出されたか否かを判断する。そして、検索部２４は、上記見出し語と、上記読出された複数の階層の語句のうち上記複数回以上読出された語句とをキーワードとして上述した検索を行う。具体例については、後述する。
【００５７】
なお、検索部２４が、当該検索されたテレビ番組の録画予約が可能か否かを判断する構成とすることが好ましい。当該構成の場合、録画予約が可能か否かの判断は、現在の時刻と、検索されたテレビ番組の放送時間帯とを比較することにより行えばよい。
【００５８】
表示制御部２５は、入力部１１を介したユーザからの指示等に従って、表示部１３に表示させる表示内容を制御する。表示制御部２５は、例えば、各辞書における見出し語の候補一覧や、見出し語と当該見出し語の本文とを記した詳細情報を表示部１３に表示させる。なお、本文とは、見出し語の意味内容や訳を示した、文や語句であり、見出し語自体を除いた文や語句である。電子機器１が本文を表示する指示を受け付けた場合、電子機器１では、本文のみならず、見出し語が当該本文の前位置に表示されることになる。ここで、少なくとも本文と見出し語とからなる情報を詳細情報と称し、少なくとも本文と見出し語とが表示されている状態を詳細情報が表示されている状態とする。
【００５９】
また、表示制御部２５は、検索部２４から上記検索結果を受け取った場合、検索結果を表示部１３に表示させる。当該表示により、ユーザは、検索結果を視認することができる。なお、上記検索の結果、録画予約の対象となるテレビ番組がなかった場合には、表示制御部２５は、録画予約の対象となるテレビ番組がない旨の表示を表示部１３に行う。その他、表示制御部２５が表示部１３に表示させる表示内容については後述する。
【００６０】
録画予約部２６は、検索部２４より検索結果を受け取る。そして、上記検索結果として示されたテレビ番組のうちで録画予約を行うテレビ番組を特定する指示を、入力部１１を介してユーザから受け付けた場合、録画予約部２６は、当該指定されたテレビ番組を録画部２１によって録画させるための録画予約を行う。つまり、録画予約部２６は、録画部２１に当該テレビ番組を録画させるための指示を録画部２１に出す。これにより、上記テレビ番組の録画予約が完了する。さらに、録画予約部２６は、録画予約が行われたことを示す情報を第１関連付部２８に送る。
【００６１】
なお、上記の構成に限らず、ユーザからの録画予約の指示を受付部２２が受け付けた場合、録画予約部２６が、上記のようなテレビ番組を特定する指示を受け付けることなく、上記検索結果として示されたテレビ番組全てを自動的に録画予約する構成としてもよい。また、特定されたテレビ番組のみを録画予約の対象とするのか、あるいは、上記検索結果として示されたテレビ番組全てを自動的に録画予約の対象とするのかは、電子機器１において切り換えられる構成としてもよい。
【００６２】
生成部２７は、検索部２４から検索に用いたキーワードを受け付ける。そして、生成部２７は、当該キーワードに基づいてリストデータを生成する。さらに、生成部２７は、生成したリストデータを辞書データ記憶領域１５ｃに記憶させる。また、生成部２７は、録画予約がなされたテレビ番組の録画状況を示した状況情報を、当該録画予約がなされたテレビ番組の検索に用いられたキーワードに関連付けてキーワード毎に記憶する。ここで、状況情報とは、具体的には、録画済、録画未、録画中といった情報である。
【００６３】
第１関連付部２８は、録画予約が行われたテレビ番組を示す情報を録画予約部２６より受け付ける。その後、第１関連付部２８は、録画予約が行われたテレビ番組に関する電子番組表を、記憶部１５内において上記キーワードとして用いた見出し語および語句に関連付ける。
【００６４】
第２関連付部２９は、録画部２１から、録画されたテレビ放送を画像データ記憶領域１５ｂ内で特定するための情報を受け付ける。その後、第２関連付部２９は、当該受け付けた情報に基づいて、当該録画したテレビ番組（画像データ）を、上記キーワードとして用いた見出し語および関連語句に対応付ける。
【００６５】
＜辞書データのデータ構造＞
次に、辞書データのデータ構造を説明する。図４は、国語辞書の辞書データのデータ構造を示した図である。以下では、国語辞書の辞書データを例に挙げて説明する。
【００６６】
当該辞書データは、見出し語と、本文と、見出し語に対応付けて記憶された関連語句とが、辞書データ記憶領域１５ｃ内において互いに対応付けされている。具体的には、見出し語を特定するためのワードナンバーと、当該見出し語の本文の格納領域を示したアドレスと、当該見出し語に対応付けられた関連語句を特定するためのワードナンバーとが辞書データ記憶領域１５ｃ内において互いに対応付けされている。
【００６７】
このようなデータ構造を辞書データが採ることにより、読出部２３は、見出し語が特定されることにより、当該見出し語に対応付けされた本文の読出しや、当該見出し語に対応付けて記憶された関連語句を読出すことが可能となる。
【００６８】
＜キーワード設定について＞
次に、図５から図７に基づいて、上記キーワードの設定について具体例を挙げて説明する。なお、以下の処理は、電子機器１がテレビ番組を検索する動作モード（以下、テレビ番組検索モード）で動作している場合についての処理である。また、以下では、第１階層から、上記予め指定された階層としての第４階層までの複数の階層の語句を、辞書データ記憶領域１５ｃから読出す。つまり、ｋ＝４とした場合を例に挙げて説明する。
【００６９】
図５は、語句の階層を示した図である。同図においては、見出し語として「サッカーくじ」を用いた例を挙げている。まず、受付部２２が、見出し語として「サッカーくじ」の入力を受け付けた場合、読出部２３は、辞書データ記憶領域１５ｃにおいて「サッカーくじ」に対応付けて記憶された関連語句である「トト」および「トトカルチョ」を、辞書データ記憶領域１５ｃから読出す。なお、読出部２３が読出したデータは、一時、メモリ１４に記憶される。
【００７０】
なお、図５において第１階層として示した図は、見出し語の意味内容を調べる動作モード（以下、辞書モード）における、表示部１３に表示される内容である。当該辞書モードにおいて表示される「トト」および「トトカルチョ」といった語句を、テレビ番組検索モードでは読出部２３が読出すことになる。また、当該第１階層として示したサッカーくじの欄における、上から２行目から４行目までが、見出し語「サッカーくじ」の意味内容を示した本文に該当する。さらに、第１階層として示した内容全てが、詳細情報に該当する。
【００７１】
さらに、読出部２３は、「サッカーくじ」の関連語句である「トト」に対応付けて記憶されている、「スポーツ振興くじ」および「トトゴール」を辞書データ記憶領域１５ｃから読出す。つまり、辞書モードにおいて「トト」を見出し語とした場合に表示される、「トト」に関連付けられた「スポーツ振興くじ」および「トトゴール」といった関連語句を、テレビ番組検索モードでは読出部２３が読出す。
【００７２】
また、読出部２３は、「サッカーくじ」の関連語句である「トトカルチョ」に対応付けて記憶されている、「宝くじ」、「サッカー」、および「Ｊリーグ」を辞書データ記憶領域１５ｃから読出す。つまり、辞書モードにおいて「トトカルチョ」を見出し語とした場合に表示される、「トトカルチョ」に関連付けられた「宝くじ」、「サッカー」、および「Ｊリーグ」といった関連語句を、テレビ番組検索モードでは読出部２３が読出す。
【００７３】
さらに、読出部２３は、「スポーツ振興くじ」、「トトゴール」、「宝くじ」、「サッカー」、および「Ｊリーグ」のそれぞれの語句について、各語句に関連付けられた関連語句を辞書データ記憶領域１５ｃから読出す。たとえば、「宝くじ」については、当該「宝くじ」に関連付けられた関連語句として、同図の第３階層に示すとおり、「トトカルチョ」、「くじ」、「第１勧業銀行」、「トト」、「サッカーくじ」が読出される。
【００７４】
ここで、見出し語である「サッカーくじ」が第１階層の語句に該当する。また、「トト」および「トトカルチョ」が第２階層の語句に該当する。さらに、「スポーツ振興くじ」、「トトゴール」、「宝くじ」、「サッカー」、および「Ｊリーグ」が第３階層の語句に該当する。また、「トトカルチョ」、「くじ」、「第１勧業銀行」、「トト」、「サッカーくじ」等が第４階層の語句に該当する。
【００７５】
図６は、メモリ１４におけるデータ内容であって、上記第１階層から第４階層の各語句を、読出部２３が読出した順に記した語句のリストである。これらの語句が、本実施の形態では、キーワード候補となる。なお、当該リストは、検索部２４により生成される。
【００７６】
判断部２４１は、上記リストにおいて、指定された個数以上リストに表示されているキーワード候補を探す。言い換えれば、判断部２４１は、上記リストを用いて、同一の語句（キーワード候補）が、指定された複数回以上、読出部２３によって辞書データ記憶領域１５ｃから読出されたか否かを判断する。そして、検索部２４は、上記見出し語（「サッカーくじ」）と、上記読出された複数の階層の語句のうち上記複数回以上読出された語句とをキーワードとして上述した検索を行う。つまり、見出し語については、常にキーワードに含めた上でテレビ番組の検索を行う。
【００７７】
図７は、検索部２４が検索に用いるキーワードを示した図である。同図に示すとおり、見出し語である「サッカーくじ」、および上記リストにおいて複数回以上読出された「トト」および「トトカルチョ」等がキーワードとして指定される。
【００７８】
以上のように、電子機器１は、入力部１１を介して見出し語の入力を受け付ける受付部２２と、見出し語と当該見出し語に関連する関連語句とが対応付けて記憶された記憶部１５から、上記入力された見出し語に対応付けられた関連語句を読出す読出部２３と、少なくとも上記入力された見出し語および上記読み出された関連語句をキーワードとして、記憶部１５に記憶されたテレビの電子番組表から上記キーワードを１つ以上含むテレビ番組を検索する検索部２４と、当該検索した結果を表示部１３に表示させる表示制御部２５とを備える構成である。
【００７９】
この構成によれば、ユーザが見出し語の入力を行うことにより、当該見出し語および当該見出し語に対応付けて記憶された関連語句を用いたテレビ番組の検索が可能となる。ここで、ユーザが入力部１１を介して、ユーザが所望するテレビ番組に関連した語句を上記見出し語として入力することにより、電子機器１では、ユーザが所望するテレビ番組を電子辞書の辞書データを用いて検索可能となる。
【００８０】
また、電子機器１は、上述したとおり、受信部１２を介して受信したテレビ番組を、記憶部１５に録画する録画部２１と、入力部１１を介した第１の指示を受け付けた場合、上記検索したテレビ番組を録画部２１に録画させるための録画予約を行う録画予約部２６とを、さらに備える構成である。なお、第１の指示とは、録画予約を行うテレビ番組を特定する指示と、当該特定したテレビ番組を録画予約する指示とに該当する。あるいは、第１の指示とは、検索結果に示された全てのテレビ番組を録画予約する指示に該当する。
【００８１】
この構成によれば、上記検索結果として示されたテレビ番組を録画予約可能となる。
さらに、電子機器１は、上述したとおり、読出部２３が、第３階層から予め指定された階層までの複数の階層の語句を記憶部１５から読出し、検索部２４が、上記入力された見出し語および前記複数の階層の語句をキーワードとして上述した検索を行う構成である。
【００８２】
この構成によれば、見出し語（第１階層の語句）および当該見出し語に対応付けて記憶された関連語句（第２階層の語句）だけではなく、第３階層から予め指定された階層までの複数の階層の語句をキーワードとして上記検索を行う。
【００８３】
したがって、キーワードの幅を広げることが可能となる。それゆえ、ユーザの所望するテレビ番組の検索に成功する可能性を高めることが可能となる。
【００８４】
また、電子機器１は、指定された複数回以上、同一の語句が読出部２３によって記憶部１５から読出されたかを判断する判断部２４１を備え、検索部２４は、上記入力された見出し語と、上記複数の階層の語句のうち上記複数回以上読出された語句とを上記キーワードとして上述した検索を行う構成である。
【００８５】
この構成によれば、上記複数の階層の語句のうち上記複数回以上読出された語句とを、上記キーワードとして用いる。したがって、電子機器１では、キーワードの幅を広げつつも、関連性のすくなそうな語句についてはキーワードから除外することができる。それゆえ、電子機器１では、検索結果の精度を高めることが可能となる。
【００８６】
＜辞書モードにおける動作＞
次に、図８から図１１に基づいて、辞書モードにおいて表示制御部２５が表示部１３に表示する内容について、具体例を挙げて説明する。
【００８７】
上述したように、検索部２４がキーワードを用いてテレビ番組を検索した後に、第１関連付部２８が、録画予約が行われたテレビ番組に関する電子番組表を、上記キーワードとして用いた見出し語および語句に関連付ける。図８は、このように電子番組表を上記キーワードとして用いた見出し語および関連語句に関連付けた後に、英和辞書を用いて当該見出し語または当該関連語句を新たな見出し語として表示制御部２５が表示部１３に表示させた際に、表示される内容を示した図である。一方、図９は、検索されたテレビ番組の録画が完了した後に、英和辞書を用いて当該見出し語または当該関連語句を新たな見出し語として表示制御部２５が表示部１３に表示させた際に、表示される内容を示した図である。つまり、図８および図９は、辞書モードでの表示内容を示した図である。
【００８８】
図８に示すとおり、表示制御部２５が、「あじ」を見出し語として英和辞書で「あじ」の訳語を表示部１３に表示させた場合、表示制御部２５は、検索されたテレビ番組である「あじの南蛮漬け料理」に関する情報を、辞書の詳細情報（見出し語および当該見出し語の本文）とともに表示部１３に表示させる。さらに、図８に示すとおり、表示制御部２５は、当該テレビ番組が録画予約の対象となっている番組であることを示す表示を表示部１３に行う。
【００８９】
また、録画部２１による録画が完了した場合には、図９に示すとおり、表示制御部２５が、「あじ」を見出し語として英和辞書で「あじ」の訳語を表示部１３に表示させたときには、表示制御部２５は、録画されたテレビ番組である「あじの南蛮漬け料理」に関する情報を、辞書の詳細情報とともに表示部１３に表示させる。さらに、表示制御部２５は、同図に示すとおり、録画したテレビ放送の画像データに関するサムネイルについても、「あじの南蛮漬け料理」に関する情報とともに表示部１３に表示する。
【００９０】
このように、表示制御部２５は、上記キーワードを見出し語とした場合における本文（あるいは詳細情報）を表示部１３に表示させる指示を受け付けた場合、当該キーワードとともに上記関連付けて記憶された画像データに関するサムネイルを表示部１３に表示させる。なお、上記キーワードには、上述したとおり、テレビ番組検索モードにおいて用いた見出し語も含まれる。
【００９１】
上記のように、電子機器１は、録画予約が行われた場合、当該録画予約が行われたテレビ番組に関する電子番組表を、少なくとも入力された見出し語に関連付ける第１関連付部２８を備え、表示制御部２５が、録画予約が行われた状態で当該入力された見出し語の本文を表示部１３に表示させる指示を受け付けた場合、少なくとも当該見出し語に関連付けられた電子番組表と当該見出し語の本文とを表示部１３に表示させる構成である。
【００９２】
この構成によれば、当該見出し語に関連付けられた電子番組表と、当該見出し語の本文とが表示部１３に表示される。それゆえ、ユーザは、見出し語の本文に示された情報に加え、見出し語に基づいて検索されたテレビ番組の存在の有無と、当該電子番組表にて示されたテレビ番組の情報（たとえば、放送時間や放送チャネル）とについても知ることができる。
【００９３】
さらに、電子機器１では、録画予約が行われた場合、第１関連付部２８が、録画予約が行われたテレビ番組に関する電子番組表を上記キーワードに関連付け、表示制御部２５が、録画予約が行われた状態で当該キーワードを見出し語とした場合における本文を表示部１３に表示させる指示を受け付けた場合、少なくとも当該キーワードに関連付けられた電子番組表と当該キーワードを見出し語とした場合における本文とを表示部１３に表示させる構成である。
【００９４】
この構成によれば、当該キーワードに関連付けられた電子番組表と、当該キーワードを見出し語とした場合における本文とが表示部１３に表示される。それゆえ、ユーザは、見出し語の本文に示された情報に加え、当該キーワードに基づいて検索されたテレビ番組の存在の有無と、当該電子番組表にて示されたテレビ番組の情報（たとえば、放送時間や放送チャネル）とについても知ることができる。
【００９５】
また、電子機器１は、以上のように、録画予約したテレビ番組の録画が終了した場合、当該録画したテレビ番組の画像データを少なくとも上記入力された見出し語に関連付ける第２関連付部２９を備え、表示制御部２５は、当該入力された見出し語の本文を表示部１３に表示させる指示を受け付けた場合、少なくとも当該見出し語に関連付けられた画像データに関するサムネイルと当該見出し語の本文とを表示部１３に表示させる構成である。
【００９６】
この構成によれば、当該見出し語に関連付けられた画像データに関するサムネイルと、当該見出し語の本文とが表示部１３に表示される。それゆえ、ユーザは、見出し語の本文に示された情報に加え、見出し語に基づいて録画されたテレビ番組の存在の有無についても知ることができる。
【００９７】
さらに、電子機器１では、上記録画が終了した場合、第２関連付部２９は、当該録画したテレビ番組の画像データを上記キーワードに関連付け、表示制御部２５は、当該キーワードを見出し語とした場合における本文を表示部１３に表示させる指示を受け付けた場合、少なくとも当該キーワードに関連付けられた画像データに関するサムネイルと、当該キーワードを見出し語とした場合における本文とを表示部１３に表示させる構成である。
【００９８】
この構成によれば、当該キーワードに関連付けられた画像データに関するサムネイルと、当該キーワードを見出し語とした場合における本文とが表示部１３に表示される。それゆえ、ユーザは、見出し語の本文に示された情報に加え、当該キーワードに基づいて録画されたテレビ番組の存在の有無についても知ることができる。
【００９９】
次に、図９の状態において上記サムネイル画像により特定される画像データを再生するための指示を入力部１１を介して制御部１６が受け付けた場合について、以下説明する。
【０１００】
図１０は、録画したテレビ番組を再生を開始した後に、表示部１３に表示される内容を示した図である。同図に示すとおり、表示制御部２５は、再生中のテレビ番組に重畳するように、当該テレビ番組を検索する際に用いられたキーワードを表示部１３に表示させる。
【０１０１】
図１１は、図１０の表示状態において、図１０に示されたキーワードを見出し語とした場合における本文を表示させる指示を表示制御部２５が受け付けた場合に、表示制御部２５が表示部１３に表示させる内容を示した図である。図１１に示すとおり、表示制御部２５は、キーワードの１つを見出し語とした場合における詳細情報を表示部１３に表示させる。複数のキーワードがある場合、何れのキーワードの詳細情報が表示されるかについては、予め規則を定めておく。
【０１０２】
たとえば、見出し語の本文を表示させる指示を受け付けた場合、図１０に示すキーワードの並び順に従って、最初に示されたキーワード（図１０においては「あじ」）の詳細情報を表示する構成にすればよい。そして、入力部１１を介して第１の指示を受け付けた場合、最初に示されたキーワードの詳細情報の代わりに、次に示されたキーワード（図１０においては「料理」）の詳細情報を表示する構成にすればよい。さらに、上記所定の指示を受け付ける度に、順に各キーワードの詳細情報を切り換えて表示すればよい。なお、電子機器１は、上述したように、図１０に示すキーワードの並び順に従って詳細情報を表示する構成に限定されるものではない。
【０１０３】
図１２は、キーワードである「シマアジ」の詳細情報を表示部１３に表示した状態を示した図である。より詳しくは、同図は、「ムロアジ」の詳細情報が表示された後に、上記切換えを行って、「シマアジ」の詳細情報を表示部１３に表示させた状態を示した図である。
【０１０４】
ここで、電子機器１では、テレビ番組の再生を開始した後に、キーワードの詳細情報の表示を行う場合には、当該テレビ番組の再生を一旦停止させる構成とする。このような構成とすることにより、ユーザは録画した全ての内容を確認することができる。
【０１０５】
また、図１１や図１２に示すとおり、キーワードの詳細情報が表示されている状態において、入力部１１を介して所定の指示を受け付けた場合、表示制御部２５は、キーワードの詳細情報の表示を中止し、テレビ番組の再生を再開する。つまり、表示部１３に表示される内容の表示形式は、再び図１０に示したような形式となる。
【０１０６】
このように、電子機器１は、テレビ番組（画像データ）の再生中に、表示制御部２５が入力部１１を介した第２の指示を受け付けた場合、表示制御部２５は、上記キーワードのうちのいずれか１つのキーワードと、当該１つのキーワードを見出し語とした場合における本文とを表示部１３に表示させる構成である。
【０１０７】
この構成により、ユーザは、テレビ番組の再生中であっても、当該テレビ番組を検索するために用いたキーワードを見出し語とした場合における本文を確認することが可能となる。
【０１０８】
図１３は、検索時において用いられた辞書の種別と、キーワードとして用いられた語句と、当該語句を用いて検索したテレビ番組の録画状況とを対応付けて示したリストを示した図である。当該リストは、電子機器１が、第３の指示を受け付けることにより、表示制御部２５によって表示部１３に表示される。
【０１０９】
たとえば、「あじ」といった語句について、第２関連付部２９による関連付けがなされている場合には、図１３に示すとおり、録画済であることを示した［済］といった記号が「あじ」といった語句に対応付けされて表示される。また、「ひらめ」といった語句をキーワードとして検索されたテレビ番組が電子機器１にて録画中である場合には、図１３に示すとおり、録画中であることを示した［録画中］といった記号が「ひらめ」に対応付けされる。さらに、「どくだみ」といった語句について、第１関連付部２８による関連付けがなされている場合には、図１３に示すとおり、録画予約中であることを示した［未］といった記号が「どくだみ」といった語句に対応付けされて表示される。
【０１１０】
なお、録画状況の表し方は、図１３の表し方に限定されるものではない。たとえば、録画状況に応じて異なる図形を用いることによって、録画状況を識別する構成としたり、あるいは、図形を同一としつつも、録画状況にお応じて当該図形の色を異なる色とすることによって、録画状況を識別する構成としてもよい。
【０１１１】
図１３に示したリストが表示部１３に表示されている状態において、［済］といった記号が対応付けられている語句の１つを選択する指示を、表示制御部２５が受け付けた場合、表示制御部２５は、当該語句に関連付けされたテレビ放送の画像データの再生を再生を開始する。
【０１１２】
このように、電子機器１は、上記キーワードに基づいてリストデータを生成するとともに、当該生成したリストデータを記憶部１５に記憶させる生成部２７を備え、表示制御部２５が入力部１１を介した第３の指示を受け付けた場合、表示制御部２５は、記憶部１５に記憶された上記リストデータに基づいて上記キーワードのリストを表示部１３に表示させる構成である。
【０１１３】
この構成によれば、ユーザは、上記キーワードに基づいて生成されたリストを確認することができる。
【０１１４】
また、電子機器１においては、生成部２７が、録画予約がなされたテレビ番組の録画状況を示した状況情報を、当該録画予約がなされたテレビ番組の検索に用いられたキーワードに関連付けて、前記キーワード毎に記憶部１５に記憶させ、表示制御部２５は、リストを表示する際には、リストに含まれたキーワード毎に上記状況情報に基づいた録画状況に関する表示を行う構成である。
【０１１５】
この構成によれば、ユーザは、リストを表示がなされた場合には、当該リストに含まれたキーワード毎に録画予約がなされたテレビ番組の録画状況を確認することができる。したがって、ユーザは、リスト表示がなされた時点において、各キーワードを用いて検索したテレビ番組が、録画中であるか、録画が済みか、あるいは録画が未だかを確認することができる。
【０１１６】
＜処理フロー＞
次に、図１４から図１７に基づいて、電子機器１で行われる処理フローについて説明する。
【０１１７】
図１４は、録画予約の処理フローを示したフローチャートである。
まず、制御部１６が、入力部１１を介した見出し語の入力が行われたか否かを判断する（Ｓ１）。ステップＳ１において見出し語の入力が行われたと判断された場合には、上述した階層を示す自然数Ｎの値を１に設定する（Ｓ２）。なお、Ｎの値は制御部１６によりメモリ１４に一時的に記憶される。一方、ステップＳ１において見出し語の入力が行われたと判断されなかった場合には、再度、ステップＳ１に戻る。
【０１１８】
ステップＳ２の後は、読出部２３が、入力された見出し語に対応付けられた関連語句を辞書データ記憶領域１５ｃから読出す（Ｓ３）。そして、ステップＳ３の後は、読出部２３は、読出した関連語句をメモリ１４に一時的に記憶させる（Ｓ４）。
【０１１９】
ステップＳ４後は、制御部１６が、Ｎの値を１だけ増加させる（Ｓ５）。そして、ステップＳ５の後は、読出部２３は、Ｎの値が閾値であるＴｈ１よりも大きいか否かを判断する（Ｓ６）。当該閾値Ｔｈ１は記憶部１５に予め記憶されており、何階層までの語句を読出すかを指定するために用いられる値である。例えば、第ｋ階層までの語句を読出す構成の場合、Ｔｈ１の値はｋとなる。
【０１２０】
ステップＳ６においてＮの値が閾値であるＴｈ１よりも大きいと判断された場合には、判断部２４１が、Ｐ回（指定された複数回）以上、読出部２３により読出された関連語句があるか否かを判断する（Ｓ８）。一方、ステップＳ６においてＮの値が閾値であるＴｈ１よりも大きいと判断されなかった場合には、読出部２３が、直前に読出した各関連語句に対応付けられた関連語句を、辞書データ記憶領域１５ｃより読出す（Ｓ７）。そして、ステップＳ７の後は、再度、ステップＳ５に戻る。
【０１２１】
ステップＳ８においてＰ回以上読出された関連語句があると判断された場合には、当該Ｐ回以上読出された関連語句をキーワードに設定する（Ｓ９）。一方、ステップＳ８においてＰ回以上読出された関連語句があると判断されなかった場合には、一連の処理を終了する。
【０１２２】
ステップＳ９の後は、検索部２４が、見出し語を含めたキーワードを用いて電子番組表からテレビ番組を検索する（Ｓ１０）。そして、ステップＳ１０の後は、表示制御部２５が、検索結果を表示部１３に表示させる（Ｓ１１）。ステップＳ１１の後は、録画予約部２６が、録画予約を行うテレビ番組の指定を受け付けたか否かを判断する（Ｓ１２）。ステップＳ１２において指示を受け付けたと判断された場合には、録画予約部２６が当該テレビ放送の録画予約を実行する（Ｓ１３）。
【０１２３】
ステップＳ１３の後は、第１関連付部２８が、検索に用いたキーワードに対して、検索されたテレビ番組に関する電子番組表のデータを関連付ける（Ｓ１４）。ステップＳ１４の後は、一連の処理を終了する。
【０１２４】
一方、ステップＳ１２において指示を受け付けたと判断されなかった場合には、制御部１６が、録画予約処理の処理工程の終了を指示する入力を、入力部１１を介して受け付けたか否かを判断する（Ｓ１５）。ステップＳ１５において上記終了を指示する入力を受け付けたと判断された場合、一連の処理を終了する。一方、ステップＳ１５において上記終了を指示する入力を受け付けたと判断されなかった場合、再度、ステップＳ１２に戻る。
【０１２５】
図１５は、録画処理の処理フローを示したフローチャートである。
まず、録画部２１が、録画開始時刻か否かを判断する（Ｓ２１）。つまり、録画部２１が、現在の時刻が、録画予約されたテレビ番組の放送開始時刻か否かを判断する。ステップＳ２１において録画開始時刻であると判断された場合には、録画部２１は録画を開始する（Ｓ２２）。一方、ステップＳ２１において録画開始時刻であると判断されなかった場合には、再度、ステップＳ２１に戻る。
【０１２６】
ステップＳ２２の後は、録画部２１が、録画が完了したか否かを判断する（Ｓ２３）。つまり、録画部２１が、現在の時刻が、テレビ番組の放送終了時刻か否かを判断する。ステップＳ２３において録画が完了したと判断された場合には、第２関連付部２９が、録画したテレビ番組を、キーワードとして用いた見出し語および語句に関連付ける（Ｓ２４）。そして、ステップＳ２４の後は、一連の処理を終了する。また、ステップＳ２３において録画が完了したと判断されなかった場合にも、一連の処理を終了する。
【０１２７】
図１６は、辞書モードにおいて、上記対応付けが行われた関連語句の詳細情報を表示する際の処理フローを示したフローチャートである。
【０１２８】
まず、表示制御部２５が、電子番組表のデータを関連付けたキーワードを見出し語とした場合の本文表示の指示を受け付けたか否かを判断する（Ｓ３１）。ステップＳ３１において本文表示の指示があった場合、表示制御部２５は、当該キーワードを用いて検索したテレビ番組の録画が完了しているか否かを判断する（Ｓ３２）。一方、ステップＳ３１において本文表示の指示がなかった場合、再度、ステップＳ３１に戻る。
【０１２９】
ステップＳ３２において録画が完了していると判断された場合には、表示制御部２５は、図９に示したとおり、本文（より詳しくは、本文を含んだ詳細情報）を表示部１３に表示するとともに、録画したテレビ番組の画像データのサムネイルを表示部１３に表示させる（Ｓ３３）。そして、ステップＳ３３の後は、一連の処理を終了する。
【０１３０】
一方、ステップＳ３２において録画が完了していると判断されなかった場合には、表示制御部２５は、図８に示したとおり、本文（より詳しくは、本文を含んだ詳細情報）を表示部１３に表示するとともに、関連付けた電子番組表のデータを表示部１３に表示させる（Ｓ３４）。そして、ステップＳ３４の後は、一連の処理を終了する。
【０１３１】
図１７は、録画したテレビ番組の再生中の処理フローを示したフローチャートである。
まず、受付部２２が、見出し語の入力を受け付ける（Ｓ４１）。そして、ステップＳ４１の後は、表示制御部２５が、当該見出し語の本文を表示させるための入力部１１を介した指示を受け付けたか否かを判断する（Ｓ４２）。ステップＳ４２において本文を表示させる指示を受け付けたと判断された場合には、表示制御部２５は、当該見出し語の本文（より詳しくは、本文を含んだ詳細情報）を表示部１３に表示させる（Ｓ４３）。一方、ステップＳ４２において本文を表示させる指示を受け付けたと判断されなかった場合には、再度、ステップＳ４２に戻る。
【０１３２】
ステップＳ４３の後は、表示制御部２５が、サムネイル表示がなされているか否かを判断する（Ｓ４４）。より詳しくは、表示制御部２５は、上記見出し語に対して画像データが関連付けられているか否かを判断する。
【０１３３】
ステップＳ４４においてサムネイル表示があると判断された場合には、表示制御部２５により当該サムネイルを選択する処理がなされたか否かが判断される（Ｓ４５）。より詳しくは、表示制御部２５は、サムネイルにより特定される画像データを再生する指示を入力部１１を介して受け付けたか否かを判断する。一方、ステップＳ４４においてサムネイル表示があると判断されなかった場合には、一連の処理を終了する。
【０１３４】
ステップＳ４５においてサムネイルを選択する処理がなされたと判断された場合には、表示制御部２５は、当該サムネイルにより特定される録画されたテレビ番組の再生を行う（Ｓ４６）。そして、ステップＳ４６の後は、表示制御部２５は、録画したテレビ番組の再生が終了したか否かを判断する（Ｓ４７）。ステップＳ４７において再生が終了したと判断された場合には、表示制御部２５は、再度見出し語の本文を表示部１３に表示する（Ｓ４８）。一方、ステップＳ４７において再生が終了したと判断されなかった場合には、再度、ステップＳ４６に戻る。
【０１３５】
そして、ステップＳ４８の後は、一連の処理を終了する。
〔実施の形態２〕
本発明の他の一実施形態について、図１８から図２１に基づいて説明すると、以下のとおりである。
【０１３６】
本実施の形態に係る電子機器１Ａは、図１に示した外観を備えておる。また、電子機器１Ａは、図２に示したハードウェア構成を備えている。それゆえ、電子機器１Ａのハードウェア構成の説明は繰り返さない。また、以下においては、実施の形態１と同じ部材については、同一の符号を付し、当該部材の説明を繰り返さない。
【０１３７】
＜機能構成について＞
図１８は、電子機器１Ａの概略構成を示した機能ブロック図である。
【０１３８】
電子機器１Ａは、同図に示すとおり、入力部１１と、受信部１２と、表示部１３と、メモリ１４と、記憶部１５と、制御部１６Ａとを備えている。
【０１３９】
制御部１６Ａは、電子機器１Ａの各種の動作を制御する。また、制御部１６Ａは、録画部２１と、受付部２２と、検索部２４Ａと、録画予約部２６と、表示制御部２５と、生成部２７と、第１関連付部２８と、第２関連付部２９と、読出部３０と、抽出部３１とを備える。
【０１４０】
さらに、読出部３０は、第１読出部３０Ａと、第２読出部３０Ｂとを備える。また、抽出部３１は、第１抽出部３１Ａと、第２抽出部３１Ｂとを備える。さらに、検索部２４Ａは、判断部２４１Ａを備える。
【０１４１】
なお、制御部１６Ａおよび制御部１６Ａ内の各機能ブロックによる処理は、上述したように、ＣＰＵにより実行されるソフトウェアによって実現される。
【０１４２】
ここで、制御部１６Ａの各機能ブロックについて、説明する。
第１読出部３０Ａは、受付部２２から上記入力された見出し語を受け付ける。そして、第１読出部３０Ａは、記憶部１５の辞書データ記憶領域１５ｃにおいて上記入力された見出し語の本文を、当該辞書データ記憶領域１５ｃから読出す。そして、第１読出部３０Ａは、当該読出した本文を、第１抽出部３１Ａに送る。
【０１４３】
さらに、第１読出部３０Ａは、さらに、記憶部１５の辞書データ記憶領域１５ｃにおいて上記入力された見出し語に対応付けて記憶された関連語句を記憶部１５から読出す。そして、第１読出部３０Ａは、当該読出した関連語句を第１抽出部３１Ａに送る。
【０１４４】
第１抽出部３１Ａは、第１読出部３０Ａから送られてきた本文および関連語句を受け取る。そして、第１抽出部３１Ａは、上記本文および上記関連語句から名詞を抽出する。さらに、第１抽出部３１Ａは、抽出した名詞を第２読出部３０Ｂと検索部２４Ａとに送る。
【０１４５】
第２読出部３０Ｂは、第１抽出部３１Ａより抽出された名詞を受け取る。そして、第２読出部３０Ｂは、辞書データ記憶領域１５ｃにおいて上記名詞を見出し語とした場合における本文を当該名詞毎に読出す。また、第２読出部３０Ｂは、第２読出部３０Ｂが読出した各本文を、第２抽出部３１Ｂに送る。
【０１４６】
さらに、第２読出部３０Ｂは、さらに、記憶部１５の辞書データ記憶領域１５ｃにおいて上記抽出された語句に対応付けて記憶された関連語句を記憶部１５から読出す。そして、第２読出部３０Ｂは、当該読出した関連語句を、第２抽出部３１Ｂに送る。
【０１４７】
第２抽出部３１Ｂは、第２読出部３０Ｂより送られてきた各本文および関連語句を受け取る。そして、第２抽出部３１Ｂは、各本文および関連語句から名詞を抽出する。さらに、第２抽出部３１Ｂは、第２抽出部３１Ｂが抽出した名詞を検索部２４Ａに送る。
【０１４８】
検索部２４Ａは、第１抽出部３１Ａから送られてくる名詞と、第２抽出部３１Ｂとから送られてくる名詞とを受け取る。そして、検索部２４Ａは、上記入力された見出し語および上記抽出された各名詞をキーワードとして、記憶部１５の記憶部１５の電子番組表記憶領域１５ａに記憶された電子番組表から、当該キーワードを１つ以上含むテレビ番組を検索する。そして、検索部２４Ａは、検索結果を表示制御部２５と録画予約部２６とに送る。また、検索部２４Ａは、上記検索に用いたキーワードを生成部２７に送る。
【０１４９】
ただし、本実施の形態では、検索結果の精度を高める観点から、検索部２４Ａは、キーワードの設定に際して判断部２４１Ａによる判断結果を用いて検索する。以下、当該判断結果を用いた構成について説明する。
【０１５０】
判断部２４１Ａは、第１抽出部３１Ａと第２抽出部３１Ｂとによる抽出によって、同一の名詞が指定された複数回以上抽出されたかを判断する。そして、検索部２４Ａは、上記入力された見出し語と上記抽出された名詞のうち上記複数回以上抽出された名詞とをキーワードとして上述した検索を行う。なお、具体例については、後述する。
【０１５１】
なお、表示制御部２５による検索結果の表示、および録画予約部２６による録画予約処理については、実施の形態１と同様であるため、当該説明については繰り返さない。
【０１５２】
＜キーワード設定について＞
次に、図１９および図２０に基づいて、上記キーワードの設定について具体例を挙げて説明する。なお、以下の処理は、電子機器１が上述したテレビ番組検索モードで動作している場合についての処理である。
【０１５３】
図１９は、入力された見出し語を基に、キーワード候補を選定する過程を示した図である。同図においては、見出し語として「サッカーくじ」を用いた例を挙げている。
【０１５４】
まず、受付部２２が見出し語として「サッカーくじ」の入力を受け付けた場合、同図に示すとおり、第１読出部３０Ａは、辞書データ記憶領域１５ｃにおいて上記入力された見出し語の本文を当該辞書データ記憶領域１５ｃから読出す。当該読出した本文には、同図の第１回読出し結果として示すとおり、「プロ」、「サッカー」、「試合」などの名詞が含まれている。さらに、第１読出部３０Ａは、辞書データ記憶領域１５ｃにおいて「サッカーくじ」に関連付けられた関連語句である「トト」および「トトカルチョ」を読出す。
【０１５５】
その後、第１抽出部３１Ａが、上記本文および関連語句から名詞を抽出する。上記抽出した名詞を、同図においてはキーワード候補−１として示している。
【０１５６】
次に、第２読出部３０Ｂが、同図に示すとおり、辞書データ記憶領域１５ｃにおいて上記各名詞を見出し語とした場合における各本文を当該名詞毎に読出す。当該読出した各本文には、同図の第２回読出し結果として示すとおり、様々な名詞が含まれている。
【０１５７】
さらに、第２読出部３０Ｂは、辞書データ記憶領域１５ｃにおいて上記抽出された各名詞（キーワード候補−１に示された名詞）にそれぞれ関連付けられた関連語句を読出す。たとえば、キーワード候補−１の「トト」に関しては、第２読出部３０Ｂが、「スポーツ振興くじ」および「トトゴール」を読出す。
【０１５８】
その後、第２抽出部３１Ｂが、上記各本文および上記関連語句から名詞を抽出する。上記抽出した名詞を、同図においてはキーワード候補−２として示している。たとえば、「スポーツ振興くじ」といった関連語句からは、第２抽出部３１Ｂにより、「スポーツ」と振興」と「くじ」といった３つの名詞が抽出される。
【０１５９】
このように、第２抽出部３１Ｂによる抽出処理が終わると、判断部２４１Ａは、第１抽出部３１Ａよる抽出と第２抽出部３１Ｂによる抽出によって、同一の名詞が指定された複数回以上抽出されたかを判断する。図２０は、見出し語を「サッカーくじ」とした場合における、上記見出し語（つまり、「サッカーくじ」）と、上記複数回抽出された名詞（「トト」、「トトカルチョ」、「くじ」等）とを示したリストである。
【０１６０】
検索部２４Ａは、上記入力された見出し語と、上記抽出された名詞のうち上記複数回以上抽出された名詞とをキーワードとして上述した検索を行う。つまり、見出し語が「サッカーくじ」である場合には、検索部２４Ａは、上記リストに表示された名詞（見出し語含む）をキーワードとして上述した検索が行われることになる。
【０１６１】
以上のように、電子機器１Ａは、入力部１１を介して見出し語の入力を受け付ける受付部２２と、見出し語と当該見出し語の本文とが対応付けて記憶された記憶部１５から、上記入力された見出し語についての本文を読出す読出部２３と、読出部２３が読出した本文から名詞を抽出する抽出部３１と、少なくとも上記入力された見出し語および上記抽出した名詞をキーワードとして、記憶部１５に記憶されたテレビの電子番組表から上記キーワードを１つ以上含むテレビ番組を検索する検索部２４Ａと、検索した結果を表示部１３に表示させる表示制御部２５とを備える構成である。
【０１６２】
この構成によれば、ユーザが見出し語の入力を行うことにより、当該見出し語および当該見出し語の本文に記された名詞を用いた、テレビ番組の検索が可能となる。ここで、ユーザが入力部１１を介して、ユーザが所望するテレビ番組に関連した語句を上記見出し語として入力することにより、電子機器１では、ユーザが所望するテレビ番組を電子辞書の辞書データを用いて検索可能となる。
【０１６３】
また、電子機器１は、上述したとおり、受信部１２を介して受信したテレビ番組を、記憶部１５に録画する録画部２１と、入力部１１を介した第１の指示を受け付けた場合、上記検索したテレビ番組を録画部２１に録画させるための録画予約を行う録画予約部２６とを、さらに備える構成である。
【０１６４】
この構成によれば、上記検索結果として示されたテレビ番組を録画予約可能となる。
また、電子機器１Ａにおいては、読出部２３が、さらに、記憶部１５において上記入力された見出し語に対応付けて記憶された関連語句を記憶部１５から読出し、抽出部３１が、さらに上記各関連語句から名詞を抽出し、検索部２４が、上記各関連語句から抽出された名詞についてもキーワードに含めて、上述した検索を行う構成である。
【０１６５】
この構成によれば、関連語句から抽出された名詞に付いてもキーワードに含めてテレビ番組を検索するため、キーワードの幅を広げることが可能となる。それゆえ、ユーザの所望するテレビ番組の検索に成功する可能性を高めることが可能となる。
【０１６６】
さらに、電子機器１Ａは、同一の名詞が指定された複数回以上、抽出部３１によって抽出されたかを判断する判断部２４１を備え、上記見出し語と上記抽出された名詞のうち上記複数回以上抽出された名詞とをキーワードとして上述した検索を行う構成である。
【０１６７】
この構成によれば、上記抽出された名詞のうち上記複数回以上抽出された名詞をキーワードとして用いる。したがって、電子機器１では、キーワードの幅を広げつつも、関連性のすくなそうな名詞についてはキーワードから除外することができる。それゆえ、電子機器１Ａでは、検索結果の精度を高めることが可能となる。
【０１６８】
＜処理フロー＞
次に、図２１に基づいて、電子機器１Ａで行われる処理フローについて説明する。また、本実施の形態では、録画予約処理について説明する。図２１は、録画予約の処理フローを示したフローチャートである。なお、録画予約した録画処理のフローと、関連付けが行われた語句の詳細情報を表示する際の処理フローと、録画したテレビ番組の再生中の処理フローとは、実施の形態１と同じであるため、説明を繰り返さない。
【０１６９】
まず、制御部１６Ａが、入力部１１を介した見出し語の入力が行われたか否かを判断する（Ｓ５１）。ステップＳ５１において見出し語の入力が行われたと判断された場合には、第１読出部３０Ａが、当該見出し語の本文の読出しと、当該見出し語に対応付けられた関連語句の読出しとを行う（Ｓ５２）。一方、ステップＳ５１において見出し語の入力が行われたと判断されなかった場合には、再度、ステップＳ５１に戻る。また、ステップＳ５２の後は、第１抽出部３１Ａが当該本文および関連語句から名詞を抽出する（Ｓ５３）。
【０１７０】
ステップＳ５３の後は、第２読出部３０Ｂが、上記抽出した名詞を見出し語とした場合における本文の読出しと、当該抽出した名詞に対応付けられた関連語句の読出しとを行う（Ｓ５４）。ステップＳ５４の後は、第２抽出部３１Ｂが当該本文および関連語句から名詞を抽出する（Ｓ５５）。
【０１７１】
ステップＳ５５の後は、判断部２４１Ａが、Ｔ回以上抽出された名詞があるか否かを判断する（Ｓ５６）。つまり、判断部２４１Ａが、第１抽出部３１Ａよる抽出と第２抽出部３１Ｂによる抽出によって、同一の名詞が指定された複数回以上抽出されたかを判断する。
【０１７２】
ステップＳ５６においてＴ回以上抽出されたと判断された場合には、検索部２４Ａが、入力された見出し語と、当該Ｔ回以上抽出された名詞とをキーワードに設定する（Ｓ５７）。一方、ステップＳ５６においてＴ回以上抽出されたと判断されなかった場合には、一連の処理を終了する。
【０１７３】
ステップＳ５７の後は、検索部２４Ａが、上記キーワードを用いて電子番組表からテレビ番組を検索する（Ｓ５８）。そして、ステップＳ５８の後は、表示制御部２５が、検索結果を表示部１３に表示させる（Ｓ５９）。ステップＳ５９の後は、録画予約部２６が、録画予約を行うテレビ番組の指定を受け付けたか否かを判断する（Ｓ６０）。ステップＳ６０において指示を受け付けたと判断された場合には、録画予約部２６が当該テレビ放送の録画予約を実行する（Ｓ６１）。
【０１７４】
ステップＳ６１の後は、第１関連付部２８が、検索に用いたキーワードに対して、検索されたテレビ番組に関する電子番組表のデータを関連付ける（Ｓ６２）。ステップＳ６２の後は、一連の処理を終了する。
【０１７５】
一方、ステップＳ６０において指示を受け付けたと判断されなかった場合には、制御部１６が、録画予約処理の処理工程の終了を指示する入力を、入力部１１を介して受け付けたか否かを判断する（Ｓ６３）。ステップＳ６３において上記終了を指示する入力を受け付けたと判断された場合、一連の処理を終了する。一方、ステップＳ６３において上記終了を指示する入力を受け付けたと判断されなかった場合、再度、ステップＳ６０に戻る。
【０１７６】
ところで、上記実施の形態２では、関連語句から抽出した名詞をキーワードに含める構成を例に挙げて説明したが、これに限定されるものではない。たとえば、関連語句を読出さない構成とし、関連語句から抽出した名詞をキーワードに含めない構成としてもよい。つまり、見出し語の本文のみから名詞を抽出する構成としてもよい。
【０１７７】
また、実施の形態２では、図１９に示したとおり、キーワード候補として、キーワード候補−１およびキーワード候補−２を選定する構成であったが、これに限定されるものではない。たとえば、キーワード候補−２の名詞を見出し語とした場合における本文や、当該名詞に関連付けられた関連語句を読出し、当該読出した本文および関連語句からさらに名詞を抽出する構成としてもよい。さらに、このような処理を繰り返し、キーワード候補−３、キーワード候補−４、…といったように、キーワード候補を増やす構成としてもよい。
【０１７８】
ここで、入力された見出し語の本文から抽出された名詞を第１抽出名詞と、ｎを２以上の自然数とし、第ｎ−１抽出名詞を見出し語とした場合における本文から抽出した名詞を第ｎ抽出名詞とする。このような定義を行った場合、上述した電子機器１Ａの構成において、読出部２３が、記憶部１５から第ｎ−１抽出名詞を見出し語とした場合における本文を第ｎ−１抽出名詞毎に読出し、抽出部３１が、各第ｎ−１抽出名詞を見出し語とした場合における各本文から第ｎ抽出名詞を抽出し、検索部２４Ａが、第２抽出名詞から第ｎ抽出名詞までの各名詞についても上記キーワードに含めて上述した検索を行う構成であるといえる。
【０１７９】
また、このような電子機器１Ａは、読出部２３が、記憶部１５において第１抽出名詞から第ｎ−１抽出名詞までの各抽出名詞にそれぞれ対応付けて記憶された関連語句を記憶部１５から読出し、抽出部３１は、当該各関連語句から名詞を抽出し、検索部２４Ａは、当該各関連語句から抽出された名詞についても上記キーワードに含めて上述した検索を行う構成であるといえる。
【０１８０】
また、実施の形態１および実施の形態２に示した各電子機器は、入力部１１を介した見出し語の入力を受け付ける受付部２２と、当該見出し語についての本文を表示部１３に表示させた場合に表示される内容に含まれる名詞をキーワードとして、記憶部１５に記憶された電子番組表からテレビ番組を検索する検索部（２４，２４Ａ）と、当該検索した結果を表示部１３に表示させる表示制御部２５とを備える構成であるともいえる。
【０１８１】
また、実施の形態１および２においては、検索部が、記憶部１５に記憶されたテレビの電子番組表からキーワードを１つ以上含むテレビ番組を検索する構成を例に挙げて説明した。しかしながら、これに限定されるものではなく、たとえば、電子機器１および電子機器１Ａの構成を、キーワードを特定個以上含むテレビ番組を検索する構成としてもよい。なお、キーワードの用い方は、上述した方法に特に限定されるものではなく、キーワードを用いたテレビ番組の検索として従来より知られている様々な方法を適用可能である。
【０１８２】
このように、電子機器１においては、検索部２４が、少なくとも前記見出し語および前記関連語句をキーワードとして、前記記憶装置に記憶されたテレビの電子番組表からテレビ番組を検索する構成であればよい。また、電子機器１Ａにおいては、検索部２４Ａが、少なくとも前記見出し語および前記抽出した名詞をキーワードとして、前記記憶装置に記憶されたテレビの電子番組表からテレビ番組を検索する構成であればよい。
【０１８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８４】
【図１】電子機器の外観を示した斜視図である。
【図２】電子機器として機能するコンピュータシステムのハードウェア構成を表わすブロック図である。
【図３】電子機器の概略構成を示した機能ブロック図である。
【図４】国語辞書の辞書データのデータ構造を示した図である。
【図５】語句の階層を示した図である。
【図６】メモリにおけるデータ内容であって、第１階層から第４階層の各語句を読出部が読出した順に記した語句のリストである。
【図７】検索に用いるキーワードを示した図である。
【図８】電子番組表をキーワードとして用いた見出し語および語句に関連付けた後に、英和辞書を用いて当該見出し語または当該語句を新たな見出し語として表示部に表示させた際に表示される内容を示した図である。
【図９】検索されたテレビ番組の録画が完了した後に、英和辞書を用いて見出し語または関連語句を新たな見出し語として表示部に表示させた際に表示される内容を示した図である。
【図１０】録画したテレビ番組を再生を開始した後に、表示部に表示される内容を示した図である。
【図１１】図１０の表示状態において、図１０に示されたキーワードを見出し語とした場合における本文を表示させる指示を受け付けた場合に、表示部に表示させる内容を示した図である。
【図１２】キーワードである「シマアジ」の詳細情報を表示部に表示した状態を示した図である。
【図１３】検索時において用いられた辞書の種別と、キーワードとして用いられた語句と、当該語句を用いて検索したテレビ番組の録画状況とを対応付けて示したリストを示した図である。
【図１４】録画予約の処理フローを示したフローチャートである。
【図１５】録画処理の処理フローを示したフローチャートである。
【図１６】辞書モードにおいて、関連付けが行われた語句の詳細情報を表示する際の処理フローを示したフローチャートである。
【図１７】録画したテレビ番組の再生中の処理フローを示したフローチャートである。
【図１８】他の形態に係る電子機器の概略構成を示した機能ブロック図である。
【図１９】入力された見出し語を基に、キーワード候補を選定する過程を示した図である。
【図２０】見出し語を「サッカーくじ」とした場合における、当該見出し語と、複数回抽出された名詞）とを示したリストである。
【図２１】録画予約の処理フローを示したフローチャートである。
【符号の説明】
【０１８５】
１，１Ａ  電子機器、１１  入力部、１２  受信部、１３  表示部、１４  メモリ、１５  記憶部、１６，１６Ａ  制御部、２１  録画部、２２  受付部、２３  読出部、２４，２４Ａ  検索部、２５  表示制御部、２６  録画予約部、２７  生成部、２８  第１関連付部、２９  第２関連付部、２４１，２４１Ａ  判断部、３０  読出部、３０Ａ  第１読出部、３０Ｂ  第２読出部、３１  抽出部、３１Ａ  第１抽出部、３１Ｂ  第２抽出部。
【図１】
2010050801.tif 000003
【図２】
2010050801.tif 000004
【図３】
2010050801.tif 000005
【図４】
2010050801.tif 000006
【図５】
2010050801.tif 000007
【図６】
2010050801.tif 000008
【図７】
2010050801.tif 000009
【図８】
2010050801.tif 000010
【図９】
2010050801.tif 000011
【図１０】
2010050801.tif 000012
【図１１】
2010050801.tif 000013
【図１２】
2010050801.tif 000014
【図１３】
2010050801.tif 000015
【図１４】
2010050801.tif 000016
【図１５】
2010050801.tif 000017
【図１６】
2010050801.tif 000018
【図１７】
2010050801.tif 000019
【図１８】
2010050801.tif 000020
【図１９】
2010050801.tif 000021
【図２０】
2010050801.tif 000022
【図２１】
2010050801.tif 000023